【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
誘電体フレームを具備し、前記誘電体フレームは、
複数のセグメントであって、各セグメントは、第１の面及び前記第１の面に対向する第２の面と、第１の端部分及び第２の端部分とを有し、前記第１の端部分及び前記第２の端部分の各々は、端面と、前記端部分の前記端面から前記セグメントの長さに沿って、前記第１の面から前記第２の面まで延出する切欠きとを有し、
前記複数のセグメントは、それぞれの前記第１の面が整列されるとともに前記第２の面も整列されており、１つのセグメントの第１の端部分の端面は隣接したセグメントの第２の端部分の端面に当接しており、且つ該当接したセグメントの該第１の端部の切欠きと該第２の端部分の切欠きとがキー溝を形成するような当接関係で配列されたセグメントと、
前記当接したセグメントを一体に保持するように前記キー溝の中にそれぞれ配置された複数のキーと
を含み、
前記セグメントのうちいくつかは、該セグメントの第１の面において、該セグメントの第１の端部分及び第２の端部分のうち１つ以上に、前記切欠きに隣接して凹部を有し、
前記凹部のぞれぞれは、それぞれ対応するセグメントの厚み方向に傾斜した面を具備し、
前記凹部のそれぞれは、それぞれ対応する切欠きの先端部に隣接し、前記先端部は、前記切欠きを有する前記セグメントの前記端部分の前記端面から最も遠い位置にあり、
前記凹部のそれぞれの後に、隣接した前記切欠きの部分で終わる平坦な面が続いており、
前記キーの各々は、第１の面及び前記第１の面に対向する第２の面を有し、各キーの前記第１の面は、そのキーにより一体に保持される前記当接しているセグメントの前記第１の面と整列され、隣接した凹部を有する前記切欠きにより規定されたキー溝の中の各キーの前記第１の面の両端部は、そのキーの厚み方向に傾斜していることを特徴とする構体。
【請求項２】
前記切欠きのそれぞれは、一部長楕円形の形状を有し、長楕円形形状の湾曲部分は前記切欠きの前記先端部であるか、または、
前記切欠きが隣接した凹部を有する前記セグメントの各端部分は、同様に前記切欠きが隣接した凹部を有するセグメントの端部分と当接しているか、または、
前記凹部を有する各セグメントの第１の面は、前記切欠きが凹部に隣接している端部分の端面に隣接したセグメントの厚み方向に傾斜している
ことを特徴とする請求項１記載の構体。
【請求項３】
前記セグメントの凹部の傾斜角度は、前記セグメントの端面に隣接した前記セグメントの第１の面の傾斜角度と等しいことを特徴とする請求項２記載の構体。
【請求項４】
前記凹部のそれぞれの前記傾斜角度は同一であることを特徴とする請求項３記載の構体。
【請求項５】
前記凹部のそれぞれの前記傾斜角度は１０〜３０°の範囲であることを特徴とする請求項４記載の構体。
【請求項６】
各セグメントは、前記第１の面と前記第２の面とを接合する第３の面及び前記第３の面に対向する第４の面を有し、各セグメントの切欠きは、そのセグメントの第３の面及び第４の面から離間して配置され、セグメントの第３の面及び第４の面に接合する前記第１の面の縁部は面取りされ、セグメントの第１の端部分及び第２の端部分の各端面に接合する第１の面の縁部は面取りされ、セグメントの第１の端部分及び第２の端部分のうち１つ以上の端部分の端面に接合する第３の面及び第４の面の縁部は面取りされていることを特徴とする請求項４記載の構体。
【請求項７】
前記凹部のそれぞれの傾斜角度は１０〜３０°の範囲であり、各面取りの角度は３５〜６０°の範囲であることを特徴とする請求項６記載の構体。
【請求項８】
前記凹部を有する各セグメントの第１の面は、前記切欠きが凹部に隣接している端部分の端面に隣接したセグメントの厚み方向に傾斜しており、
前記凹部を有する各セグメントの前記第２の面は、前記切欠きの周囲に沿って、前記凹部に隣接して別の凹部を有し、前記別の凹部は傾斜面を具備することを特徴とする請求項１記載の構体。
【請求項９】
前記凹部及び前記別の凹部の各々の面の傾斜は１０〜３０°の範囲であることを特徴とする請求項８記載の構体。
【請求項１０】
前記凹部を有する各セグメントの第１の面は、前記切欠きが凹部に隣接している端部分の端面に隣接したセグメントの厚み方向に傾斜しており、
前記複数のセグメントは、水平に配置された第１の組のセグメントと、前記水平に配置された第１の組のセグメントから垂直方向に離間して配置された水平に配置された第２の組のセグメントと、垂直に配置された第１の組のセグメントと、前記垂直に配置された第１の組のセグメントから水平方向に離間して配置された垂直に配置された第２の組のセグメントとを含み、
前記水平に配置された第１の組のセグメントのうち第１の端セグメントは、前記垂直に配置された第１の組のセグメントのうち第１の端セグメントと当接し、
前記水平に配置された第１の組のセグメントのうち第２の端セグメントは、前記水平に配置された第２の組のセグメントのうち第１の端セグメントと当接し、
前記水平に配置された第２の組のセグメントのうち第１の端セグメントは、前記垂直に配置された第１の組のセグメントのうち第２の端セグメントと当接し、
前記水平に配置された第２の組のセグメントのうち第２の端セグメントは、前記垂直に配置された第２の組のセグメントのうち第２の端セグメントと当接していることを特徴とする請求項１記載の構体。
【請求項１１】
前記水平に配置された第１の組のセグメントのうち前記第１の端セグメント及び前記第２の端セグメントの各々と、前記水平に配置された第２の組のセグメントのうち前記第１の端セグメント及び前記第２の端セグメントの各々とは、垂直に延出して、それぞれ対応する垂直に配置されたセグメントと当接する端部分の第１の部分を有し、前記水平に配置された第１の組のセグメントのうち前記第１の端セグメント及び前記第２の端セグメントの各々は、前記第１の部分を有する前記端部分において前記第１の部分とは反対の側へ垂直方向に延出する延長部分を有することを特徴とする請求項１０記載の構体。
【請求項１２】
各切欠きは一部長楕円形の形状を有し、前記キーの各々は長楕円形の形状であることを特徴とする請求項１記載の構体。
【請求項１３】
スタック面を有する燃料電池スタックと、前記スタック面に当接したマニホルドとを更に具備し、前記誘電体フレームは、前記マニホルドと前記スタック面との間に配置されていることを特徴とする請求項１記載の構体。
【請求項１４】
前記フレームと前記スタックの前記面との間に配置されたガスケットと、前記フレームと前記マニホルドとの間に配置された少なくとも１つの別のガスケットとを更に具備することを特徴とする請求項１３記載の構体。
【請求項１５】
前記マニホルドは、前記マニホルドの周囲に沿って分散配置された複数のピンを含み、前記別のガスケットは、前記ピンと整列され前記ピンが貫通する複数の貫通開口部を含み、前記セグメントは、前記ピンと整列され前記ピンを受入れる複数の開口部を含むことを特徴とする請求項１４記載の構体。
【請求項１６】
前記ピンの各々は、そのピンの上端部に、該ピンの本体の厚み方向に傾斜し、その後、該ピンの端面までまっすぐ上へ延出する互いに対向した面を有することを特徴とする請求項１５記載の構体。
【請求項１７】
前記ピンの長さは、前記ピンを受入れる前記セグメントの開口部の長さより短いか、または、
前記ピンの各々は円筒形の本体を有し、前記端面は長楕円形である
ことを特徴とする請求項１６記載の構体。
【請求項１８】
周囲に沿って分散配置された１つ以上のピンを含むマニホルドを具備し、前記ピンの各々は、そのピンの上端部に、前記ピンの本体の厚み方向に傾斜し、その後、該ピンの端面までまっすぐ上へ延出する互いに対向する面を有することを特徴とする構体。
【請求項１９】
前記ピンの各々は円筒形の本体を有し、前記端面は長楕円形であることを特徴とする請求項１８記載の構体。
【請求項２０】
前記長楕円形の端面の丸形の縁部は面取りされることを特徴とする請求項１９記載の構体。
【請求項２１】
前記マニホルドは、マニホルド本体と、前記本体の周囲に装着され、前記ピンが延出するレール構体とを更に含むことを特徴とする請求項１８記載の構体。
【請求項２２】
前記レール構体は、第１の側面及び前記第１の側面とは反対の側にある第２の側面と、第３の側面及び前記第３の側面とは反対の側にある第４の側面とを含み、前記第１の側面及び前記第２の側面は、前記第３の側面及び前記第４の側面と接続してフレームを形成し、前記第１の側面及び前記第２の側面は、前記第４の側面を越えて延出して延長部分を形成することを特徴とする請求項２１記載の構体。
【請求項２３】
前記延長部分の各々はピンを摺動自在に支持すること、
前記延長部分の各々は、前記ピンが摺動自在に保持される切欠きを含むこと、
前記本体は、複合折れ目により互いに離間された複数のパン部分を有し、前記レール構体は、前記複合折れ目と一線に整列された複数の切溝を有すること
のうち１つ以上を実装していることを特徴とする請求項２２記載の構体。
【請求項２４】
前記傾斜角度は１０〜６０°の範囲であるか、または、
前記マニホルドは、前記マニホルドの周囲に沿って配置された長楕円形の形状をした１つ以上の別のピンを含む
ことを特徴とする請求項１８記載の構体。
【請求項２５】
前記別のピンの各々は、テーパ形状を含まない完全円筒形の本体を有することを特徴とする請求項２４記載の構体。
【請求項２６】
周囲に沿って分散配置された複数の開口部を有する誘電体フレームと、
前記開口部のうち１つ以上の中に配置されるインサートとを具備し、前記インサートの各々は、対応する開口部に挿入される部材を受入れ且つ部分的に取り囲むように構成された誘電体本体を具備し、
前記誘電体本体は、該誘電体本体の長さに沿って、該誘電体本体の前記第１の端部から前記第１の端部とは反対の側にある前記誘電体本体の第２の端部に向かって走る溝穴を有し、
前記溝穴は、第１の距離に沿って一定の幅を有し、それに続いて拡張して漏斗形状を呈していることを特徴とする構体。
【請求項２７】
前記誘電体本体は、対応する開口部の外側に面する前記第１の端部に開口を有する細長いシェルを具備することを特徴とする請求項２６記載の構体。
【請求項２８】
前記細長いシェルは、前記第１の端部とは反対の側にある前記細長いシェルの第２の端部に開口を有することを特徴とする請求項２７記載の構体。
【請求項２９】
前記細長いシェルの前記第２の端部は閉鎖された丸形の形状をしており、
前記細長いシェルは、前記閉鎖された丸形の第２の端部の両側壁部分に、別の互いに対向する開口を有することを特徴とする請求項２８記載の構体。
【請求項３０】
前記別の開口のうち一方は前記溝穴と連通することを特徴とする請求項２９記載の構体。
【請求項３１】
前記細長いシェルは、円筒形及び長楕円形のうち一方の形状を有することを特徴とする請求項２８または３０に記載の構体。
【請求項３２】
前記誘電体本体はマイカから形成されることを特徴とする請求項２６記載の構体。
【請求項３３】
第１の端部にある開口と、前記第１の端部の反対の側にあり、開放状態及び閉鎖状態のうち一方である、丸い形状をした第２の端部とを有する細長いシェルとして形成された誘電体本体を具備し、
前記細長いシェルは、該細長いシェルの長さに沿って、該細長いシェルの前記第１の端部に設けられた前記開口から前記第１の端部とは反対の側にある前記細長いシェルの第２の端部まで走る溝穴を有し、
前記溝穴は、第１の距離に沿って一定の幅を有し、それに続いて拡張して漏斗形状を呈している
ことを特徴とするインサート。
【請求項３４】
前記細長いシェルは、円筒形及び長楕円形のうち一方の形状を有しているか、または、
前記細長いシェルは、閉鎖された丸形の第２の端部と、前記閉鎖された丸形の第２の端部の両側壁部分にある別の互いに対向した開口とを有しているか、または、
前記誘電体本体はマイカから形成されている
ことを特徴とする請求項３３記載のインサート。
【請求項３５】
前記別の開口のうち一方は前記溝穴と連通することを特徴とする請求項３４記載のインサート。